(57)【特許請求の範囲】
【請求項１】
遊技機に装備されて遊技スタート信号入力毎に基いて各種複数の図柄を変動表示停止して図柄組合せゲームを展開し得る液晶表示装置において、
電子的表示制御基板で表示制御されて遊技者が視認し得る画像表示面に前記図柄を表示停止し得る２Ｄ表示タイプの液晶表示ユニットと、画像表示面を前向きにして前記液晶表示ユニットを着脱可能に収容保護し得る後枠ケースと、平面的画像を立体的画像に表示変換し得る表示変換スクリーンを形成して前記液晶表示ユニットの画像表示面に対して表示基準合せ条件で整合固定される表示変換透視盤と、前記表示変換透視盤を透視し得る透視窓を開口形成して前記後枠ケースの前側に対して分離可能に組付け整合されて前記表示変換透視盤を覆蓋状に保護する前枠ケースと、を備え、
前記表示変換透視盤の外周縁に、前記液晶表示ユニットの外周保護枠の各支持縁の前面に対して、剥離可能に圧着し得る厚さｔ１の圧着材と、分離可能に密接し得る圧縮変形可能な厚さｔ２（＞ｔ１）の緩衝材とを夫々配設すると共に、前記前枠ケースの透視窓の周囲内側縁に、前記表示変換透視盤の前面外周縁に対して分離可能に圧接して不動化保持し得る圧縮変形可能な押圧材を配設し、前記液晶表示ユニットの画像表示面側に前記表示変換透視盤を重ね合せて液晶表示ユニットの外周保護枠の各支持縁の前面に前記緩衝材を当接させた状態のもとで、前記表示変換透視盤を平面移動調整して前記表示基準合せを行い、この表示基準合せ後に前記表示変換透視盤を前記液晶表示ユニットに押し付けて前記緩衝材を圧縮変形させた状態で前記圧着材を前記外周保護枠の各支持縁前面に密に圧着させて固定化保持し、前記前枠ケースを前記表示変換透視盤の前側から被せ嵌めて前記後枠ケースの前側に組付けた状態で前記押圧材が表示変換透視盤の外周縁前面に圧接して固定化保持し前記後枠ケースと前枠ケースとの間に前記液晶表示ユニットと表示変換透視盤とが前記表示基準合せ条件に保持されたまま収容されて構成された３Ｄ表示タイプの液晶表示ユニットを備えたことを特徴とする遊技用の液晶表示装置。
【発明の詳細な説明】
【技術分野】
【０００１】
本発明は、遊技用の液晶表示装置に係り、詳しくは例えば遊技機に装備されて遊技内容の進行に応じて、遊技表示情報（例えば図柄組合せ）等を展開して遊技者に表示するための液晶表示装置に関するものである。
【背景技術】
【０００２】
遊技媒体にパチンコ球を利用するパチンコ機や、コインを利用するスロットマシンに代表される遊技機では、遊技内容の展開に応じて、遊技表示情報等を表示する手段の一つとして、近年、特に３Ｄ表示タイプ（立体的表示タイプ）の液晶表示装置が多用されつつある。
前述の３Ｄ液晶表示装置によれば、遊技者の気運を高める背景画像はもとより、何よりも強い関心、興趣が持たれる特別遊技（大当り遊技ともいう）の成立に関与する遊技表示情報としての図柄組合せゲームを展開・表示するために好適化されている。
【先行技術文献】
【特許文献】
【０００３】
【特許文献１】特開２０１１−０１７７８８号公報
【特許文献２】特開２０１０−５２９４９５号公報
【発明の概要】
【発明が解決しようとする課題】
【０００４】
３Ｄ液晶表示装置は、その構成・形態として３Ｄ専用の液晶表示ユニットを備えたものあるいは、従来の２Ｄ表示タイプの液晶表示ユニットに表示変換透視盤（２Ｄから３Ｄに表示を変換するもの）を組み合わせたものが用いられる。前者の構成とする場合には、専用の装置を必要とするため、非常に高価なものとなってしまう。
後者の構成とする場合には、前者の構成よりも低いコストで済み、表示変換透視盤を取り外すことにより、２Ｄ表示タイプの液晶表示ユニットを再使用できるので、この構成が採用されることが多い。但し、この場合には、液晶表示ユニットと表示変換透視盤との位置を極めて精密に合わせる必要があり（この位置を「表示基準合せ」と言う）、精密な位置の調整が絶対的に重要で不可欠とされている。しかし、未だに適正な専用整合機器等がないこと、また仮に専用整合機器を利用するとしても精確な整合組付けは依然として煩雑で手間・熟練を要する作業であった。このため、３Ｄ表示タイプの液晶表示ユニットを構成する部品の１点毎を専門経験、視覚技術の高い作業者による手作業に依存せざるを得ない状況となっており、２Ｄ表示タイプの液晶表示ユニットに対して表示変換透視盤を精確に表示基準合せ状態に確保したもとで、組付、製造しなければならなかった。上記内容を詳細に説明すると、次の通りである。
【０００５】
３Ｄ表示用の液晶表示装置の基本的な主要構成は、例えば図１１の分解斜視図に略示するように２Ｄ表示タイプの液晶表示ユニット１００と、３Ｄ表示用の表示変換透視盤１０１（パララックスバリア方式の場合には、板ガラスの裏面（又は表面）に表示変換スクリーン１０１Ａを印刷貼付したもの）と、３Ｄ表示ユニットの外郭保護ケース体をなす後枠ケース１０２と、前枠ケース１０３とを備えている。
３Ｄ表示ユニットの組付け手順としては、図１２の説明図に略示する通りである。まず、表示用作業台上において、２Ｄ表示タイプの液晶表示ユニット１００を載置したもとで、同ユニット表面（図では上面）の画像表示面の上側に、表示変換スクリーン１０１Ａを上面にして表示変換透視盤１０１と位置決め保持具１０４を載せる。位置決め保持具１０４には、表示変換透視盤１０１とほぼ同等の開口１０４Ａが設けられており、表示変換透視盤１０１を開口１０４Ａに嵌め込んだ状態で、表示変換透視盤１０１の位置合わせを行える。液晶表示ユニット１００に対する表示変換透視盤１０１の表示基準合せとして、液晶表示ユニット１００の画像表示面に表示される表示基準マーク（例えば十字形マーク）を表示変換透視盤１０１の表示変換スクリーン１０１Ａの表面において、前後、左右の各方向、角度から視認しながら、表示変換透視盤１０１を平面的に変位移動させて、表示基準マークの立体表示に最適とされる位置を調整して表示基準合せ（十字形マークの表示合せ）を行う（図１２（Ａ））。
【０００６】
次いで、液晶表示ユニット１００に対する表示変換透視盤１０１の表示基準合せを調整した後、表示基準位置合わせを確保した状態で、位置決め保持具１０４を残し、表示変換透視盤１０１を一旦取り外す（図１２（Ｂ））。
次に、表示変換透視盤１０１の左右、上下の４周縁に接着した接着材（両面テープ）の剥離紙を剥して、表示変換透視盤１０１を前記位置決め保持具１０４で確保されている位置から、液晶表示ユニット１００の画像表示面に押し合せてそのまま強く押圧して接着材を以って、液晶表示ユニット１００に整合圧着する（図１２（Ｃ））。
最後に、位置決め保持具１０４を取り外すことにより、３Ｄ表示タイプの液晶表示ユニットが製造される（図１２（Ｄ））。
こうして、表示変換透視盤１０１を所定の位置に固定した後には、前述のように組付けられた３Ｄ表示タイプの液晶表示ユニットを、外郭保護ケース体をなす後枠ケース１０２内に位置決め収容し、次いで表示変換透視盤１０１の前面側に前枠ケース１０３を覆せるように嵌め合せ、この前枠ケース１０３を後枠ケース１０２の表面側に位置決めして、両ケースの左右、上下の各縁の必要箇所をネジ止めして、３Ｄ表示タイプの液晶表示ユニットを収容した状態で、外郭保護ケース体を組付して、１台単位の３Ｄ液晶表示装置としている。このように、２Ｄ表示タイプの液晶表示ユニットと表示変換透視盤との位置決め作業には、非常に手間が掛かり熟練を必要としていた。
【０００７】
また、３Ｄ表示タイプの液晶表示装置において、前記表示変換透視盤を分離して、元の２Ｄ表示タイプの液晶表示ユニットに戻す場合には、両者を強固に接着している両面テープを無理に取り外す際に、液晶表示ユニットを破損したり、両面テープの粘着部分が残って液晶表示ユニット自体の再使用が困難となることがあった。
本発明は、上記した事情に鑑みてなされたものであり、その目的は、２Ｄ表示タイプの液晶表示ユニットと、バリアとの互いの表示基準合せを手早く簡単に精度良くなし得るとともに、両者を簡単かつ楽に分離できるようにして、液晶表示ユニット自体を、正規・純正の２Ｄ専用ディスプレイとして復旧再使用し得るようにしたものである。
【課題を解決するための手段】
【０００８】
上記目的を達成するための発明に係る遊技用の液晶表示装置は、遊技機に装備されて遊技スタート信号入力毎に基いて各種複数の図柄を変動表示停止して図柄組合せゲームを展開し得る液晶表示装置において、
電子的表示制御基板で表示制御されて遊技者が視認し得る画像表示面に前記図柄を表示停止し得る２Ｄ表示タイプの液晶表示ユニットと、画像表示面を前向きにして前記液晶表示ユニットを着脱可能に収容保護し得る後枠ケースと、平面的画像を立体的画像に表示変換し得る表示変換スクリーンを形成して前記液晶表示ユニットの画像表示面に対して表示基準合せ条件で整合固定される表示変換透視盤と、前記表示変換透視盤を透視し得る透視窓を開口形成して前記後枠ケースの前側に対して分離可能に組付け整合されて前記表示変換透視盤を覆蓋状に保護する前枠ケースと、を備え、
【０００９】
前記表示変換透視盤の外周縁に、前記液晶表示ユニットの外周保護枠の各支持縁の前面に対して、剥離可能に圧着し得る厚さｔ１の圧着材と、分離可能に密接し得る圧縮変形可能な厚さｔ２（＞ｔ１）の緩衝材とを夫々配設すると共に、前記前枠ケースの透視窓の周囲内側縁に、前記表示変換透視盤の前面外周縁に対して分離可能に圧接して不動化保持し得る圧縮変形可能な押圧材を配設し、前記液晶表示ユニットの画像表示面側に前記表示変換透視盤を重ね合せて液晶表示ユニットの外周保護枠の各支持縁の前面に前記緩衝材を当接させた状態のもとで、前記表示変換透視盤を平面移動調整して前記表示基準合せを行い、この表示基準合せ後に前記表示変換透視盤を前記液晶表示ユニットに押し付けて前記緩衝材を圧縮変形させた状態で前記圧着材を前記外周保護枠の各支持縁前面に密に圧着させて固定化保持し、前記前枠ケースを前記表示変換透視盤の前側から被せ嵌めて前記後枠ケースの前側に組付けた状態で前記押圧材が表示変換透視盤の外周縁前面に圧接して固定化保持し前記後枠ケースと前枠ケースとの間に前記液晶表示ユニットと表示変換透視盤とが前記表示基準合せ条件に保持されたまま収容されて構成された３Ｄ表示タイプの液晶表示ユニットを備えたことを特徴とする。
【００１０】
本発明において、「表示変換透視盤」とは、２Ｄ表示タイプの画像表示面の前面において、適正な表示基準合わせ（表示マーク合せ）位置に置くことで、３Ｄ表示を可能とする透視盤のことを意味する。そのような表示変換透視盤としては、パララックスバリア方式によって立体視を行えるようにするパララックスバリア（単に、バリアとも言う）や、レンチキュラスクリーン方式によって立体視を行えるようにするレンチキュラレンズなどが含まれる。なお、表示変換透視盤の表示変換スクリーンは、透視盤の後面側（液晶表示ユニットに近い面側）又は前面側（液晶表示ユニットから遠い面側）のいずれに設けても良い。
圧着材とは、一般的な接着・粘着テープ類ではなく、軟質弾力性を有し押圧力（指圧力程度）で外周保護枠周縁の平滑面（平坦面）に密着して、表示変換透視盤と液晶表示ユニットとの相対的な位置関係をズレなく好適に固定化維持し得る一方、押圧力と反対方向（浮上げ方向）の離隔力を以って容易かつきれいに剥離（分離）し得る性質を持つ材料を意味し、例えばゴム状のもの（ナイロン系、ビニール系のものも可能）を使用できる。そのような製品として、例えば NE-tak 衝撃吸収クッション材 STM シリーズ（日栄化工株式会社製）を用いることができる。
緩衝材とは、適当な弾性を備え、圧縮（収縮）可能な物質（例えば、ポリウレタンなど）から構成できる。そのような製品として、例えばPORON（ポロン）PETサポート薄物シリーズ（更に例えば、SR-S32Pなど、（株）ロジャースイノアック製）を用いることができる。
【発明の効果】
【００１１】
本発明によれば、２Ｄ表示タイプの液晶表示ユニットを主体として３Ｄ用の表示変換スクリーンを持つ表示変換透視盤を重ね合せて構成される３Ｄ表示タイプの液晶表示ユニットを備えた液晶表示装置において、液晶表示ユニットに対して、表示変換透視盤を手早く簡単かつ精密・精確に表示基準合せした条件で組付けて、表示誤差が少ない適正かつ良好な３Ｄ表示タイプの液晶表示ユニットを構成できる。これにより、３Ｄ表示タイプの液晶表示装置の効率的な量産ひいては遊技機の生産性の向上を図ることができる。
また、このように構成された液晶表示装置については、外部保護枠ケースの後枠ケースと前枠ケースとを分離したもとで、表示変換透視盤を手作業にて手早く簡単に取外すことができるので、これにより損傷の無い２Ｄ表示タイプの液晶表示ユニットを純正、正規ディスプレイユニットとして有効に復旧再利用することができる。このため、予め相当数単位で造り留め（つくりだめ）したとしても、３Ｄ表示タイプの液晶表示ユニットを、簡単な手作業で表示変換透視盤を分離して、２Ｄ表示タイプの液晶表示ユニットに戻して使用対応することができる。
【図面の簡単な説明】
【００１２】
【図１】本発明の一実施例における液晶表示装置の実施態様を略示する遊技盤の正面図である。
【図２】同上遊技盤の背面図である。
【図３】液晶表示装置の主要構成を分解状態で略示する斜視図である。
【図４】バリアを略示する斜視図である。
【図５】前枠ケースを略示する斜視図である。
【図６】３Ｄ表示タイプの液晶表示ユニットの組立前の部分側断面図である。
【図７】３Ｄ表示タイプの液晶表示ユニットの組立工程手順を段階的に例示する説明図である。（Ａ）は、バリアを外周保護枠の上面に載せて、緩衝材にて支持されており、スライド移動可能な状態を、（Ｂ）は、所定の表示基準合せを行った後に、前枠ケースによってバリアを前面から押圧し、緩衝材を圧縮変形して、圧着材を支持縁に密着固定した状態を、それぞれ示す側断面図である。
【図８】３Ｄ表示タイプの液晶表示ユニットの組立工程手順における主要部を略示する説明図である。（Ａ）は、バリアを外周保護枠の上面に載せて、緩衝材の厚みｔ３によって支持されており、スライド移動可能な状態を、（Ｂ）は、バリアが押圧されて、緩衝材が圧縮変形され、圧着材が僅かに圧縮されて支持縁に密着固定した状態を、それぞれ示す側断面図である。
【図９】変形例におけるバリアの裏面側を示す斜視図である。
【図１０】変形例において、液晶表示ユニットの外周保護枠に固定されたバリアを取り外すときの様子を示す拡大斜視図である。
【図１１】従来の３Ｄ表示タイプの液晶表示ユニットを分解して略示する斜視図である。
【図１２】従来の３Ｄ表示タイプの液晶表示ユニットの組立工程手順を段階的に例示する説明図である。
【発明を実施するための形態】
【００１３】
次に、本発明の実施形態について、図表を参照しつつ説明するが、本発明の技術的範囲は、これらの実施形態によって限定されるものではなく、発明の要旨を変更することなく様々な形態で実施することができる。また、本発明の技術的範囲は、均等の範囲にまで及ぶ。
以下、本発明に係る液晶表示装置について、好適な実施例を挙げて添付図面を参照しながら詳述する。
本実施例の液晶表示装置１０は、第１図に略示するように遊技機の代表例の一つであるパチンコ機１の遊技盤２の遊技領域３内の中央に設置されており、スタート信号入力に基づいて各種の図柄（数字、アルファベット、各種キャラクタ、果物）を順次表示し得る図柄組合せ表示装置の例を主体として示す。なお、スタート信号入力は、遊技盤２に設けられた所定の始動入賞口４に遊技球が入賞して、所定のスイッチで検出される毎に、同スイッチの検出信号に基づいて、制御基板（図示せず）側から発信される図柄変動信号を意味している。本実施例では、パララックスバリア方式によって行われる３Ｄ表示に従った構成にて説明する。
【００１４】
本実施例の液晶表示装置１０の基本的な構成としては、第３図に略示するように、従来より使用されている横長方形状の２Ｄ表示タイプの液晶表示ユニット１１と、この液晶表示ユニット１１を収容保護する後枠ケース１２と、液晶表示ユニット１１の前面側（画像を表示する面側）に表示変換透視盤として表示基準合せの条件で整合保持される横長方形状のバリア１３と、このバリア１３を収容し覆蓋保護した状態で後枠ケース１２の前側に位置決め整合状態でビス止め結合される横長方形状の前枠ケース１４とが含まれる。これらの構成が、整合組付けされて１台の３Ｄ表示タイプの液晶表示ユニットとして構成されている。後枠ケース１２と前枠ケース１４は、液晶表示ユニット１１とバリア１３とを整合して組合せた状態で分離又は組付け可能な保護枠ケースとされる。
後枠ケース１２は、透明な硬質の合成樹脂材（例えば、ポリカーボネートなど）により、方形枠状に形成されている。後枠ケース１２は、方形状に形成された開口１２Ｂの前面側から液晶表示ユニット１１を着脱可能に収容保護する。後枠ケース１２の左右枠縁、及び上下枠縁には、組立て用のビスをねじ込み可能なボス１２Ａが配置成形されている。
【００１５】
液晶表示ユニット１１の表面側には画像表示面１１Ａが設けられており、図示しない表示制御基板からの所定の表示信号に基づき、背景動画とは別に各種複数の図柄（数字、アルファベット、キャラクタ、果物等）が変動表示可能とされている。画像表示面１１Ａの中央部には、表示基準マーク（例えば、十字形）が表示可能とされており、この表示基準マークを利用して、バリア１３との位置決めである表示基準合せが行われる（後に詳述する）。画像表示面１１Ａは、方形状のディスプレイ本体１１Ｂの前面に設けられている。ディスプレイ本体１１Ｂの後面側は、金属製の背板（図示せず）で強化保護されている。ディスプレイ本体１１Ｂの裏側には、表示制御基板（図示せず）が通電接続配置されて、画像表示面１１Ａに表示される背景画像、動画各種の図柄などの表示を制御する。ディスプレイ本体１１Ｂの外周四辺縁（画像表示面１１Ａを除く左右、及び上下の端縁部）には、金属性の外周保護枠１６が装着されて、ディスプレイ本体１１Ｂを保護している。この外周保護枠１６の四辺（左右、上下）の支持縁１６Ａ（幅１０〜１５ｍｍ位）が、バリア１３の載置固定縁として平滑面（平坦面）とされる。
【００１６】
表示変換透視盤としてのバリア１３は、長方形状の板ガラスを主体として構成され、その裏面（すなわち画像表示面１１Ａと対向する面側）において、外周縁１０〜１５ｍｍ位を除いた方形面域に亘り、３Ｄ表示変換用の表示変換スクリーン１７が形成されている。なお、表示変換スクリーン１７を形成する方法としては、板ガラスの裏面に直接に印刷加工する方法や、印刷スクリーンを裏面に貼り付ける方法などがある。本発明は、表示変換スクリーンの形成方法には拘わらずに実施できる。
バリア１３の後面の外周縁には、図４に示すように、外周保護枠１６の各支持縁１６Ａの前面に対して剥離可能に圧着（密着）し得る厚さｔ１の圧着材１８と、外周保護枠１６に対して分離可能に密接し得る圧縮（収縮）変形可能な厚さｔ２（＞ｔ１）の緩衝材１９とが配置されている。本実施例では、圧着材１８と緩衝材１９とは、共に幅５〜８ｍｍ程度の帯状とされており、バリア１３の左右縁と上下縁とに予め接着材（例えば両面テープ）で接着されている（図４には説明の都合上、一部の圧着材１８と緩衝材１９を外した状態を示しているが、これらの部材は矢印Ａ方向に移動して接着されている）。圧着材１８は、接着性や粘着性がなく、かつ平滑面（すなわち、金属製の外周保護枠１６）に対して押圧力で密に圧着する軟質弾力性を備えている。また、緩衝材１９は、所定の弾性（すなわち、バリア１３を液晶表示ユニット１１の上面に載置したときに、バリア１３の自重を支えて圧縮変形せず、圧着材１８と外周保護枠１６との接触を防止する程度の弾性）を備えており、適当な押圧力によって弾性圧縮変形して、圧着材１８と外周保護枠１６との圧着を許容する、つまり圧着材１８が外周保護枠１６の支持縁１６Ａの表面に圧着し得る性質を備えている。
【００１７】
図５に示すように、前枠ケース１４は、透明な硬質の合成樹脂材（例えば、ポリカーボネートなど）で方形枠状に形成されている。前枠ケース１４の中央には、バリア１３の表示変換スクリーン１７の全面域を直接目視し得る方形広さの透視窓２０が開口されている。前枠ケース１４の枠外周の左右枠縁及び上下枠縁には、後枠ケース１２の各ボス１２Ａに整合する位置に、組立て用のビス孔１４Ａが配置形成されている。前枠ケース１４と後枠ケース１２とは、前後に２分割形態で分離及び結合可能に形成されている。両ケース１２，１４が位置決め組立て結合されることで、内部に液晶表示ユニット１１とバリア１３とを収容保護する。
また、前枠ケース１４の透視窓２０の周囲内側縁には、バリア１３の板ガラス部分の前面外周縁に対して分離可能に圧接して不動化保持し得る圧縮変形可能な押圧材２１（例えば前記緩衝材１９と同効質材）が設けられている（図５には、側方及び下方の押圧材２１を分離して示してある。実際には、矢印Ｂ方向に向かって前枠ケース１４に予め接着されている）。
【００１８】
次に、上記のように構成された本実施例の液晶表示装置１０の組立工程手順について、図６〜図８を参照しつつ説明する。
図６には、３Ｄ表示タイプの液晶表示ユニットの組立前の様子を示した。まず、作業台（図示しない）上に水平状態で載置される後枠ケース１２内に、画像表示面１１Ａが上向きとなるように液晶表示ユニット１１を収容する。
次に、液晶表示ユニット１１の画像表示面１１Ａに向けて、バリア１３の表示変換スクリーン１７を後面対向して載せる。この状態において、バリア１３外周囲の裏面側に設けた緩衝材１９は、液晶表示ユニット１１の外周保護枠１６の支持縁１６Ａの上面に当接したまま押圧されていない未圧縮状態であるから、圧着材１８の下面と外周保護枠１６の支持縁１６Ａの上面との間には、所定の間隙ｔ３（＝ｔ２−ｔ１）が存在しており、バリア１３の表示変換スクリーン１７と液晶表示ユニット１１の画像表示面１１Ａとの間に間隙が存在し、両者が上下離隔した対向状態（バリア１３が未だ浮いた状態）にある（図７（Ａ）及び図８（Ａ）を参照）。
【００１９】
前記バリア１３の未圧着状態で、液晶表示ユニット１１に対するバリア１３の表示基準合せ操作を目視手作業にて行う。すなわち、図示しない表示制御基板を介して、画像表示面１１Ａに３Ｄ表示のための表示基準マーク（例えば、十字形マーク）を表示させておき、バリア１３の上面から表示変換スクリーン１７と表示基準マークを透視しながら左右、上下の各平面方向（画像表示面１１Ａと平行な向き）に微小な変位調整を行い、表示基準マークを適正に立体視できる状態となるように確認する。
前述の表示基準合せ（表示マーク合せ）が適正に調整できた状態で、バリア１３の上面側から外周縁全体を強く液晶表示ユニット１１に押付ける。これにより、バリア１３外周囲の下面側に設けた緩衝材１９が液晶表示ユニット１１の外周保護枠１６の支持縁１６Ａの上面に圧縮変形された状態で密接するとともに、圧着材１８が若干の圧縮肉厚変形をして（又は、ほぼ元の厚さｔ１のままで）、バリア１３が外周保護枠１６の支持縁１６Ａの上面に強く圧着（密着）された状態で不動化保持される。こうして、バリア１３は左右、前後の平面方向の位置ずれを生ずることなく液晶表示ユニット１１に固定化される。このとき、圧着材１８と緩衝材１９とは、圧着材１８の厚みｔ１よりも僅かに小さいか、それと同等な厚さｔ４（≦ｔ１）となっている（図７（Ｂ）及び図８（Ｂ）を参照）。
【００２０】
こうして、液晶表示ユニット１１に対してバリア１３が表示基準合せされて不動化維持された状態において、前枠ケース１４をバリア１３の上から被せながら後枠ケース１２に位置決め整合し、ボス１２Ａとビス孔１４Ａにビス（図示せず）を締付けて組付け結合する。これにより、前枠ケース１４の各押圧材２１がバリア１３の外周上面に圧縮変形状態で圧接してバリア１３を前面側から押込み保護し、両枠ケース１２，１４内にバリア１３及び液晶表示ユニット１１が上下一体化重合した状態で収容保護されて、３Ｄ表示タイプの液晶表示ユニットの組立が完了する。なお、必要に応じて、バリア１３と液晶表示ユニット１１とを分離させる場合には、圧着材１８と外周保護枠１６との圧着状態を解除することにより、容易に行える。すなわち、前述のように構成された３Ｄ表示タイプの液晶表示ユニット１１において、ビスを取り外して前記前枠ケース１４を後枠ケース１２から組外し（分離）したもとで、例えばヘラ状用具を利用して前記バリア１３を例えば左上又は右上の方向に傾けるように軽く押し上げることにより（図８（Ｂ）中の矢印Ｔを参照）、前記圧着材１８が外周保護枠１６の支持縁１６Ａ上面から無理なく容易に剥離して、バリア１３を液晶表示ユニット１１から手早く簡単に分離することができる。この際、液晶表示ユニット１１、バリア１３のいずれにもヘラ状用具のキズ跡等を付けることはない。
上記のようにして組み立てた液晶表示装置１０について、振動試験機（EMIC製F-2000BS/A-E08）を用いた振動試験を行った（正弦波振動試験条件：X,Y,Z方向について、5〜500Hz、9.8m/s2p、0.5oct/min、各方向1時間）ところ、試験後にも両者間のズレ等を生ずることなく適正な表示基準合せの条件を満たし、維持した。
【００２１】
このように本実施形態によれば、２Ｄ表示タイプの液晶表示ユニット１１を主体として３Ｄ用の表示変換スクリーン１７を持つバリア１３を重ね合せて構成される３Ｄ表示タイプの液晶表示ユニットを備えた液晶表示装置１０において、液晶表示ユニット１１に対して、バリア１３を手早く簡単かつ精密・精確に表示基準合せした条件で組付けて、表示誤差が少ない適正かつ良好な３Ｄ表示タイプの液晶表示ユニットを構成できる。
また、このように構成された液晶表示装置１０については、外部保護枠ケースの後枠ケース１２と前枠ケース１４とを分離したもとで、バリア１３を手作業にて手早く簡単に取外すことができるので、これにより損傷の無い２Ｄ表示タイプの液晶表示ユニット１１を純正、正規ディスプレイユニットとして有効に復旧再利用することができる。
【００２２】
＜変形例＞
次に、図９及び図１０を参照しつつ、変形例について説明する。なお、説明の重複を避けるため、上記実施例と同一の構成については、同一の符号を付して説明を省略する。
上記実施例では、圧着材１８はバリア１３の左右両側縁に、緩衝材１９はバリア１３の上下両側縁に設けていた。変形例では、図９に示すように、緩衝材１９はバリア３０の四隅付近に設け、圧着材１８は左右及び上下の四辺に設けられている。各緩衝材１９と圧着材１８との間には、適当な間隔３１が設けられている。このような構成とすれば、３Ｄ表示タイプの液晶表示ユニットを組み立てる際には、上記実施例と同様に行える。
一方、３Ｄ表示タイプの液晶表示装置から２Ｄ表示タイプの液晶表示ユニット１１に戻す場合には、図１０に示すように、バリア３０と外周保護枠１６との間に僅かに空いた間隔３１に取外し用の楔形ヘラ状の治具３２を挿入（矢印Ｘ方向）することで、バリア３０を図示上方へ容易に剥離することができる。このため、液晶表示ユニット（装置）について、３Ｄ表示タイプから２Ｄ表示タイプに簡単に構成変換することができる。
なお、液晶表示ユニット１１については、外周保護枠１６が不要省略されたタイプでは、画像表示面１１Ａを除く外周囲縁で平坦（平滑）面に前記圧着材１８、緩衝材１９が各々圧着、圧接するようにしてもよい。
【符号の説明】
【００２３】
１…パチンコ機（遊技機）
２…遊技盤
３…遊技領域
１０…液晶表示装置
１１…液晶表示ユニット
１１Ａ…画像表示面
１１Ｂ…ディスプレイ本体
１２…後枠ケース
１２Ａ…ボス
１２Ｂ…開口
１３、３０…バリア（表示変換透視盤）
１４…前枠ケース
１４Ａ…ビス孔
１６…外周保護枠
１６Ａ…支持縁
１７…表示変換スクリーン
１８…圧着材
１９…緩衝材
２０…透視窓
２１…押圧材
ｔ１…圧着材の厚さ
ｔ２…緩衝材の厚さ
ｔ３…（未圧着状態における緩衝材の厚さｔ２）−（圧着材の厚さｔ１）
【要約】
【課題】  ３Ｄ表示タイプの液晶表示装置（ユニット）の構成にあたり、主体となる２Ｄ表示タイプの液晶表示ユニットと表示変換透視盤との互いの表示基準合せを手早く簡単に精度良くなし得るとともに、両者を容易に分離できるようにして、液晶表示ユニット自体を２Ｄ専用ディスプレイに復旧再使用し得るようにした液晶表示装置を提供すること。
【解決手段】  ２Ｄ表示タイプの液晶表示ユニット１１と、画像表示面１１Ａを前向きにして液晶表示ユニット１１を着脱可能に収容保護し得る後枠ケース１２と、表示変換スクリーン１７を設けたバリア１３と、後枠ケース１２の前側に対して分離可能に組付け整合されてバリア１３と液晶表示ユニット１１とを覆蓋状に保護する前枠ケース１４と、を備え、バリア１３の後面側には、液晶表示ユニット１１の外周保護枠１６の前面に対して剥離可能に圧着し得る厚さｔ１の圧着材１８と、分離可能に密接し得る圧縮変形可能な厚さｔ２（＞ｔ１）の緩衝材１９を夫々配設すると共に、前枠ケース１４の透視窓２０の周囲内側縁に、バリア１３の前面外周縁に対して分離可能に圧接して不動化保持し得る圧縮変形可能な押圧材２１を配設した液晶表示装置１０によって達成される。
【選択図】          図６【図１】
0004756108.tif 000002
【図２】
0004756108.tif 000003
【図３】
0004756108.tif 000004
【図４】
0004756108.tif 000005
【図５】
0004756108.tif 000006
【図６】
0004756108.tif 000007
【図７】
0004756108.tif 000008
【図８】
0004756108.tif 000009
【図９】
0004756108.tif 000010
【図１０】
0004756108.tif 000011
【図１１】
0004756108.tif 000012
【図１２】
0004756108.tif 000013